(57)【要約】【課題】コモンモードノイズに対する減衰特性およびノーマルモードノイズに対する減衰特性の双方が良好なフィルタ素子を提供する。【解決手段】信号用帯状導電体９ａ，９ｂと接地用帯状導電体８とを帯状絶縁体７ｂを介して重ねた状態で信号用帯状導電体９ａ，９ｂに対して接地用帯状導電体８が外側になるように巻回することによって全体として筒状に形成されたコイル部５を備え、信号用帯状導電体９ａ，９ｂは、各内周部に出力部位がそれぞれ規定されると共に各外周部に入力部位がそれぞれ規定され、接地用帯状導電体８は、外周部に接地部位が規定され、コイル部５には、信号用帯状導電体９ａ，９ｂに対向するようにしてシート状導電体１０がフローティング状態で巻き込まれている。【選択図】図３
2006340030.tif 000002
【特許請求の範囲】
【請求項１】
一対の信号用帯状導電体と接地用帯状導電体とを帯状絶縁体を介して重ねた状態で当該一対の信号用帯状導電体に対して当該接地用帯状導電体が外側になるように巻回することによって全体として筒状に形成されたコイル部を備え、
前記一対の信号用帯状導電体は、各内周部に出力部位がそれぞれ規定されると共に各外周部に入力部位がそれぞれ規定され、
前記接地用帯状導電体は、外周部に接地部位が規定され、
前記コイル部には、前記一対の信号用帯状導電体に対向するようにしてシート状導電体がフローティング状態で巻き込まれているフィルタ素子。
【請求項２】
一対の信号用帯状導電体と接地用帯状導電体とを帯状絶縁体を介して重ねた状態で当該一対の信号用帯状導電体に対して当該接地用帯状導電体が内側になるように巻回することによって全体として筒状に形成されたコイル部を備え、
前記一対の信号用帯状導電体は、各内周部に入力部位がそれぞれ規定されると共に各外周部に出力部位がそれぞれ規定され、
前記接地用帯状導電体は、内周部に接地部位が規定され、
前記コイル部には、前記一対の信号用帯状導電体に対向するようにしてシート状導電体がフローティング状態で巻き込まれているフィルタ素子。
【請求項３】
前記シート状導電体は、前記一対の信号用帯状導電体にそれぞれ対向するようにして一対設けられている請求項１または２記載のフィルタ素子。
【請求項４】
信号用帯状導電体と接地用帯状導電体とを帯状絶縁体を介して重ねた状態で当該信号用帯状導電体に対して当該接地用帯状導電体が外側になるように巻回することによって全体として筒状に形成されたコイル部を備え、
前記信号用帯状導電体は、内周部に出力部位が規定されると共に外周部に入力部位が規定され、
前記接地用帯状導電体は、外周部に接地部位が規定され、
前記コイル部には、前記信号用帯状導電体に対向するようにしてシート状導電体がフローティング状態で巻き込まれているフィルタ素子。
【請求項５】
信号用帯状導電体と接地用帯状導電体とを帯状絶縁体を介して重ねた状態で当該信号用帯状導電体に対して当該接地用帯状導電体が内側になるように巻回することによって全体として筒状に形成されたコイル部を備え、
前記信号用帯状導電体は、内周部に入力部位が規定されると共に外周部に出力部位が規定され、
前記接地用帯状導電体は、内周部に接地部位が規定され、
前記コイル部には、前記信号用帯状導電体に対向するようにしてシート状導電体がフローティング状態で巻き込まれているフィルタ素子。
【請求項６】
前記シート状導電体は、前記接地用帯状導電体の一の部位を当該接地用帯状導電体における他の部位から分離して構成されている請求項１から５のいずれかに記載のフィルタ素子。
【請求項７】
前記接地部位は、前記コイル部の中心を挟んで前記入力部位に対して反対側に位置し、
前記出力部位は、前記コイル部の中心を挟んで前記入力部位に対して反対側に位置している請求項１から６のいずれかに記載のフィルタ素子。
【請求項８】
前記接地部位は、前記コイル部の中心を挟んで前記入力部位に対して反対側に位置し、
前記出力部位は、前記コイル部の中心を挟んで前記接地部位に対して反対側に位置している請求項１から６のいずれかに記載のフィルタ素子。
【請求項９】
前記コイル部の中心部に形成された空隙に磁性体が配設されている請求項１から８のいずれかに記載のフィルタ素子。
【請求項１０】
入力端子が前記入力部位に接続され、
出力端子が前記出力部位に接続され、
接地用端子が前記接地部位に接続されている請求項１から９のいずれかに記載のフィルタ素子。
【発明の詳細な説明】
【技術分野】
【０００１】
本発明は、帯状絶縁体に帯状導電体を重ねた状態で巻回されて構成されたスパイラル積層型のフィルタ素子に関するものである。
【背景技術】
【０００２】
この種のフィルタ素子として、特許第２８２６３２０号公報において開示されたフィルタ素子が知られている。このフィルタ素子は、複数枚の帯状導電体（通電用および接地用の帯状導電体）を、高誘電率の誘電体シートを介して、磁性または非磁性巻枠あるいは空心に巻き回して形成されて、３端子型ノイズフィルタ（ノーマルモード型ノイズフィルタ）として機能する。このフィルタ素子では、通電用の帯状導電体の巻始め部と巻き終わり部に接続された一対のリード間にインダクタンスが形成され、しかも通電用の帯状導電体の全長に亘り、接地用の帯状導電体との間にキャパシタンスが分布定数的に形成される。したがって、このフィルタ素子では、広い周波帯域に亘って優れた減衰特性を実現することが可能となっている。
【特許文献１】特許第２８２６３２０号公報（第２頁）
【発明の開示】
【発明が解決しようとする課題】
【０００３】
ところで、近年では、上記のノーマルモード型ノイズフィルタの構成を利用したコモンモード用のノイズフィルタも開発され、例えば、スイッチング電源における交流入力用のノイズフィルタとしての利用が期待されている。しかしながら、上記のノーマルモード型ノイズフィルタの構成を利用したコモンモード型ノイズフィルタでは、コモンモードノイズに対する減衰特性が良好であったとしても、ノーマルモードノイズに対する減衰特性が良好でない場合が多い。このため、コモンモードノイズに対する減衰特性およびノーマルモードノイズに対する減衰特性の双方が良好なコモンモード型ノイズフィルタの実現が望まれている。
【０００４】
本発明は、上記の要望に鑑みてなされたものであり、コモンモードノイズに対する減衰特性およびノーマルモードノイズに対する減衰特性の双方が良好なフィルタ素子を提供することを主目的とする。
【課題を解決するための手段】
【０００５】
上記目的を達成すべく請求項１記載のフィルタ素子は、一対の信号用帯状導電体と接地用帯状導電体とを帯状絶縁体を介して重ねた状態で当該一対の信号用帯状導電体に対して当該接地用帯状導電体が外側になるように巻回することによって全体として筒状に形成されたコイル部を備え、前記一対の信号用帯状導電体は、各内周部に出力部位がそれぞれ規定されると共に各外周部に入力部位がそれぞれ規定され、前記接地用帯状導電体は、外周部に接地部位が規定され、前記コイル部には、前記一対の信号用帯状導電体に対向するようにしてシート状導電体がフローティング状態で巻き込まれている。ここで、本発明における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。また、シート状導電体の「フローティング状態」とは、信号用導電体や接地用導電体に対して絶縁されている状態を意味する。また、「内周部」とは、信号用帯状導電体または接地用帯状導電体における巻始めの数ターンに含まれる部位をいい、「外周部」とは、信号用帯状導電体または接地用帯状導電体における巻き終わりの数ターンに含まれる部位をいう。
【０００６】
また、請求項２記載のフィルタ素子は、一対の信号用帯状導電体と接地用帯状導電体とを帯状絶縁体を介して重ねた状態で当該一対の信号用帯状導電体に対して当該接地用帯状導電体が内側になるように巻回することによって全体として筒状に形成されたコイル部を備え、前記一対の信号用帯状導電体は、各内周部に入力部位がそれぞれ規定されると共に各外周部に出力部位がそれぞれ規定され、前記接地用帯状導電体は、内周部に接地部位が規定され、前記コイル部には、前記一対の信号用帯状導電体に対向するようにしてシート状導電体がフローティング状態で巻き込まれている。
【０００７】
また、請求項３記載のフィルタ素子は、請求項１または２記載のフィルタ素子において、前記シート状導電体は、前記一対の信号用帯状導電体にそれぞれ対向するようにして一対設けられている。
【０００８】
また、請求項４記載のフィルタ素子は、信号用帯状導電体と接地用帯状導電体とを帯状絶縁体を介して重ねた状態で当該信号用帯状導電体に対して当該接地用帯状導電体が外側になるように巻回することによって全体として筒状に形成されたコイル部を備え、前記信号用帯状導電体は、内周部に出力部位が規定されると共に外周部に入力部位が規定され、前記接地用帯状導電体は、外周部に接地部位が規定され、前記コイル部には、前記信号用帯状導電体に対向するようにしてシート状導電体がフローティング状態で巻き込まれている。
【０００９】
また、請求項５記載のフィルタ素子は、信号用帯状導電体と接地用帯状導電体とを帯状絶縁体を介して重ねた状態で当該信号用帯状導電体に対して当該接地用帯状導電体が内側になるように巻回することによって全体として筒状に形成されたコイル部を備え、前記信号用帯状導電体は、内周部に入力部位が規定されると共に外周部に出力部位が規定され、前記接地用帯状導電体は、内周部に接地部位が規定され、前記コイル部には、前記信号用帯状導電体に対向するようにしてシート状導電体がフローティング状態で巻き込まれている。
【００１０】
また、請求項６記載のフィルタ素子は、請求項１から５のいずれかに記載のフィルタ素子において、前記シート状導電体は、前記接地用帯状導電体の一の部位を当該接地用帯状導電体における他の部位から分離して構成されている。
【００１１】
また、請求項７記載のフィルタ素子は、請求項１から６のいずれかに記載のフィルタ素子において、前記接地部位は、前記コイル部の中心を挟んで前記入力部位に対して反対側に位置し、前記出力部位は、前記コイル部の中心を挟んで前記入力部位に対して反対側に位置している。
【００１２】
また、請求項８記載のフィルタ素子は、請求項１から６のいずれかに記載のフィルタ素子において、前記接地部位は、前記コイル部の中心を挟んで前記入力部位に対して反対側に位置し、前記出力部位は、前記コイル部の中心を挟んで前記接地部位に対して反対側に位置している。
【００１３】
また、請求項９記載のフィルタ素子は、請求項１から８のいずれかに記載のフィルタ素子において、前記コイル部の中心部に形成された空隙に磁性体が配設されている。
【００１４】
また、請求項１０記載のフィルタ素子は、請求項１から９のいずれかに記載のフィルタ素子において、入力端子が前記入力部位に接続され、出力端子が前記出力部位に接続され、接地用端子が前記接地部位に接続されている。ここで、本発明における「端子」とは、棒状の導電体に限らず、可撓性を備えた配線ケーブル、さらには金属箔などの平板状導電体をも含むことを意味する。
【発明の効果】
【００１５】
請求項１記載のフィルタ素子によれば、各信号用帯状導電体に対して接地用帯状導電体が外側になるように各信号用帯状導電体、接地用帯状導電体および帯状絶縁体を巻回して全体として筒状にコイル部を形成し、各信号用帯状導電体の各内周部に出力部位をそれぞれ規定すると共に各信号用帯状導電体の各外周部に入力部位をそれぞれ規定し、接地用帯状導電体の外周部に接地部位を規定し、各信号用帯状導電体に対向するようにしてシート状導電体をフローティング状態で巻き込むことにより、シート状導電体は、信号用帯状導電体間に、容量成分を形成する。このため、線路の特性インピーダンスが急に不連続に変化するため、信号（ノーマルモード信号）の反射が発生する結果、ノーマルモード信号の伝搬が阻害される。このため、このフィルタ素子によれば、コモンモードノイズに対する減衰特性を良好な状態に維持しつつ、ノーマルモードノイズに対する遮断周波数近辺の減衰傾度を大きくして減衰特性を改善することができる。
【００１６】
また、請求項２記載のフィルタ素子によれば、各信号用導電体に対して接地用導電体が内側になるように各信号用導電体、接地用導電体および各帯状絶縁体を巻回して全体として筒状にコイル部を形成し、各信号用導電体の各内周部に入力部位をそれぞれ規定すると共に各信号用導電体の各外周部に出力部位をそれぞれ規定し、接地用導電体の内周部に接地部位を規定し、各信号用導電体に対向するようにしてシート状導電体をフローティング状態で巻き込むことにより、シート状導電体は、信号用帯状導電体間に、容量成分を形成する。このため、線路の特性インピーダンスが急に不連続に変化するため、信号の反射が発生し伝搬が阻害される。このため、このフィルタ素子によれば、コモンモードノイズに対する減衰特性を良好な状態に維持しつつ、ノーマルモードノイズに対する遮断周波数近辺の減衰傾度を大きくして減衰特性を改善することができる。
【００１７】
また、請求項３に記載の各フィルタ素子では、各信号用導電体にそれぞれ対向するようにして一対のシート状導電体を設けたことにより、各信号用導電体に対向しない部分（各シート状導電体で挟まれた領域と対向する部分）に導電体を配設しなくてよいため、必要最小限の導電体で各シート状導電体を形成することができる。したがって、フィルタ素子の軽量化を図ることができる。
【００１８】
また、請求項４記載のフィルタ素子によれば、信号用帯状導電体に対して接地用帯状導電体が外側になるように信号用帯状導電体、接地用帯状導電体および帯状絶縁体を巻回して全体として筒状にコイル部を形成し、信号用帯状導電体の内周部に出力部位を規定すると共に信号用帯状導電体の外周部に入力部位を規定し、接地用帯状導電体の外周部に接地部位を規定し、信号用帯状導電体に対向するようにしてシート状導電体をフローティング状態で巻き込むことにより、シート状導電体は、信号用帯状導電体間に、容量成分を形成する。このため、線路の特性インピーダンスが急に不連続に変化するため、信号の反射が発生し伝搬が阻害される。このため、このフィルタ素子によれば、ノーマルモードノイズに対する遮断周波数近辺の減衰傾度を大きくして減衰特性を改善することができる。
【００１９】
また、請求項５記載のフィルタ素子によれば、信号用導電体に対して接地用導電体が内側になるように信号用導電体、接地用導電体および帯状絶縁体を巻回して全体として筒状にコイル部を形成し、信号用導電体の内周部に入力部位を規定すると共に信号用導電体の外周部に出力部位を規定し、接地用導電体の内周部に接地部位を規定し、信号用導電体に対向するようにしてシート状導電体をフローティング状態で巻き込むことにより、シート状導電体は、信号用帯状導電体間に、容量成分を形成する。このため、線路の特性インピーダンスが急に不連続に変化するため、信号の反射が発生し伝搬が阻害される。このため、このフィルタ素子によれば、ノーマルモードノイズに対する遮断周波数近辺の減衰傾度を大きくして減衰特性を改善することができる。
【００２０】
また、請求項６記載のフィルタ素子によれば、接地用帯状導電体の一の部位を他の部位から分離すると共に、この分離した部位でシート状導電体を構成したことにより、接地用導電体と別体のシート状導電体を帯状絶縁体を介してコイル部に巻き込む構成と比較して、コイル部をより小径に形成することができる結果、フィルタ素子を小形化することができる。
【００２１】
また、請求項７記載のフィルタ素子によれば、前記コイル部の中心を挟んで前記入力部位に対して反対側に前記接地部位を位置させ、前記コイル部の中心を挟んで前記入力部位に対して反対側に前記出力部位を位置させたことにより、所定の周波数帯域において大きな減衰量を確保することができる結果、優れた減衰特性を有するフィルタ素子を実現することができる。
【００２２】
また、請求項８記載のフィルタ素子によれば、前記コイル部の中心を挟んで前記入力部位に対して反対側に前記接地部位を位置させ、前記コイル部の中心を挟んで前記接地部位に対して反対側に前記出力部位を位置させたことにより、所定の周波数帯域において大きな減衰量を確保することができる結果、優れた減衰特性を有するフィルタ素子を実現することができる。
【００２３】
また、請求項９記載のフィルタ素子によれば、コイル部の中心部に形成された空隙に磁性体を配設したことにより、接地用帯状導電体および信号用帯状導電体の結合度合いや分布インダクタンスの値を向上させることができるため、減衰特性を向上させることができる。
【００２４】
また、請求項１０記載のフィルタ素子によれば、前記入力部位に入力端子を接続し、前記出力部位に出力端子を接続し、前記接地部位に接地用端子を接続したことにより、各端子を使用してフィルタ素子を電源装置などに容易に実装することができる。
【発明を実施するための最良の形態】
【００２５】
以下、添付図面を参照して、本発明に係るフィルタ素子の最良の形態について説明する。
【００２６】
（第１の最良の形態）
最初に、本形態に係るフィルタ素子１について、図１，２，３を参照して説明する。
【００２７】
フィルタ素子１は、図１に示すように、一対の入力端子２ａ，２ｂ（以下、特に区別しないときには「入力端子２」ともいう）、一対の出力端子３ａ，３ｂ（以下、特に区別しないときには「出力端子３」ともいう）、接地用端子４、コイル部５および柱状（一例として円柱状）の磁性体（磁性コア）６を備えて構成されて、分布定数型のノイズフィルタ（低域通過型のコモンモードフィルタ）として機能する。
【００２８】
コイル部５は、図３に示すように、帯状絶縁体７ａ，７ｂ、各帯状絶縁体７ａ，７ｂよりも幅狭に形成された接地用帯状導電体８、一対の信号用帯状導電体９ａ，９ｂ、およびシート状導電体１０を備えて構成されている。この場合、各帯状絶縁体７ａ，７ｂは、例えば、誘電性および電気的絶縁性を有する材料（ポリイミド、ポリエチレン、絶縁紙など）を用いて、同じ幅、同じ長さで、かつ同じ厚みに形成されている。接地用帯状導電体（以下、「接地用導電体」ともいう）８は、最外周部となる一端側（巻き終わり端側である同図中の左端側）に規定された接地部位Ｃに接地用端子４の一端側が電気的に接続（以下、単に「接続」ともいう）されている。また、接地用導電体８は、帯状絶縁体７ａよりも若干幅狭で、かつ帯状絶縁体７ａよりも若干短い帯状（長尺な長方形）に形成されて、帯状絶縁体７ａの上に重ねられている。また、接地用導電体８は、その他端側（各信号用導電体９における各出力端子３が接続される端部と同じ側の端部）の部位が、他の部位から分離（分割）されている。本発明におけるシート状導電体１０は、接地用導電体８におけるこの分離された他端側（巻始め端側）の部位（本発明における一の部位）によって形成されている。この場合、シート状導電体１０は、分離前の接地用導電体８の長さＬ１を１とした場合、０．３以上０．７以下の範囲内、好ましくは０．５±０．０５となるようにその長さＬ２が規定されている。帯状絶縁体７ｂは、帯状絶縁体７ａとの間で接地用導電体８およびシート状導電体１０を挟み込むようにして帯状絶縁体７ａの上に重ねられている。
【００２９】
各信号用帯状導電体９ａ，９ｂ（以下、「信号用導電体９ａ，９ｂ」ともいい、特に区別しないときは「信号用導電体９」ともいう）は、例えば、同じ幅、同じ長さで、かつ同じ厚みに構成されている。また、各信号用導電体９ａ，９ｂは、図３に示すように、最外周部となる一端側（巻き終わり端側である同図中の左端側）にそれぞれ規定された入力部位Ａに各入力端子２ａ，２ｂの一端側がそれぞれ接続されると共に、最内周部となる他端側（巻始め端側である同図中の右端側）にそれぞれ規定された出力部位Ｂに各出力端子３ａ，３ｂの一端側がそれぞれ接続されている。また、各信号用導電体９ａ，９ｂは、帯状絶縁体７ｂの長さ方向と平行に、かつ互いに非接触な状態で帯状絶縁体７ｂの上に並べて重ねられている。
【００３０】
コイル部５は、上記のように互いに重ねられた各帯状絶縁体７および各導電体８，９，１０を、図３において矢印で示すように、各帯状絶縁体７および各信号用導電体９の他端側（同図中の右端側）を巻き始めとして、かつ各信号用導電体９に対して接地用導電体８およびシート状導電体１０が外側になるように巻回することにより、図１に示すように、全体として筒状（中心部に空隙Ｈが形成された円筒状）に形成されている。この場合、シート状導電体１０は、接地用導電体８と分離され、かつ帯状絶縁体７ａ，７ｂとの間で挟まれることにより、いずれの端子およびいずれの導電体とも非接触な状態、言い換えれば電気的に絶縁された状態（本発明におけるフローティング状態）で、かつ帯状絶縁体７ｂを介して各信号用導電体９（具体的には信号用導電体９の出力部位側）と対向した状態でコイル部５内に巻き込まれている。磁性コア６は、この空隙Ｈ内に装着されて、コイル部５の中心部に配設されている。
【００３１】
この場合、各信号用導電体９の入力部位Ａは、コイル部５を一方の端面（図１中の上端面）側から見たときに、図２に示すようにコイル部５の外周側部位にそれぞれ位置している。また、各信号用導電体９の入力部位Ａに接続された各入力端子２は、図１に示すようにコイル部５の一方の端面（同図中の上端面）における外周側部位から他端側が引き出されている。このため、コイル部５を一方の端面側から見た状態において、各信号用導電体９の入力部位Ａと各入力端子２の引出し部位とはほぼ一致する。したがって、以下では、各入力端子２の引出し部位を「引出し部位Ａ」ともいう。一方、各信号用導電体９の出力部位Ｂは、コイル部５を一方の端面側から見たときに、図２に示すようにコイル部５の内周側部位にそれぞれ位置している。また、各信号用導電体９の出力部位Ｂに接続された各出力端子３は、図１に示すようにコイル部５の一方の端面における内周側部位から他端側が引き出されている。このため、コイル部５を一方の端面側から見た状態において、各信号用導電体９の出力部位Ｂと各出力端子３の引出し部位とはほぼ一致する。したがって、以下では、各出力端子３の引出し部位を「引出し部位Ｂ」ともいう。ここで、各信号用導電体９の出力部位Ｂ（つまり出力端子３の引出し部位）は、図２に示すように、コイル部５の中心軸Ｏと各信号用導電体９の入力部位Ａ（つまり入力端子２の引出し部位）とを含む仮想平面Ｌ（以下、「平面Ｌ」ともいう）上であって、中心軸Ｏ（または磁性コア６）を挟んで入力部位Ａに対して反対側に設定されている。また、接地用導電体８の接地部位Ｃは、コイル部５を一方の端面側から見たときに、図２に示すようにコイル部５の外周側部位に位置している。また、接地用導電体８の接地部位Ｃに接続された接地用端子４は、図１に示すように、コイル部５の一方の端面における外周側部位から他端側が引き出されている。このため、コイル部５を一方の端面側から見た状態において、接地用導電体８の接地部位Ｃと接地用端子４の引出し部位とはほぼ一致する。したがって、以下では、接地用端子４の引出し部位を「引出し部位Ｃ」ともいう。また、接地用端子４の接地部位Ｃは、図２に示すように、平面Ｌ上であって、コイル部５の中心軸Ｏを挟んで入力部位Ａに対して反対側に設定されている。ここで、本発明における入力端子２等の「引出し部位」とは、入力端子２等がコイル部５から突出するコイル部５の表面における部位をいう。したがって、コイル部５がポットコア（磁性体）等に収容されて、ポットコアから入力端子２等が引き出される部位と、コイル部５から入力端子２等が引き出される部位とが相違する構成においても、コイル部５から引き出される部位が、入力端子２等の「引出し部位」となる。同様にして、コイル部５から引き出した入力端子２等をボビンの足に接続するときにおいても、コイル部５から引き出される部位が、入力端子２等の「引出し部位」となる。したがって、ボビンの足を平面Ｌ上に配設する必要はなく、任意の位置にボビンの足を配設することができる。また、「最内周部」とは、信号用導電体９または接地用導電体８における巻始めの１ターンに含まれる部位をいい、「最外周部」とは、信号用導電体９または接地用導電体８における巻き終わりの１ターンに含まれる部位をいう。
【００３２】
このフィルタ素子１では、各信号用導電体９に対して接地用導電体８が外側になるように各導電体８，９，１０および各帯状絶縁体７ａ，７ｂを巻回して全体として筒状にコイル部５を形成し、各信号用導電体９の最内周部に出力部位Ｂを規定すると共に各信号用導電体９の最外周部に入力部位Ａを規定し、接地用導電体８の最外周部に接地部位Ｃを規定し、各信号用導電体９に対向するようにしてシート状導電体１０をフローティング状態で巻き込むことにより、シート状導電体１０は、各信号用帯状導電体９間に、容量成分を形成する。このため、線路の特性インピーダンスが急に不連続に変化するため、信号の反射が発生し伝搬が阻害される。このため、このフィルタ素子１によれば、コモンモードノイズに対する減衰特性を良好な状態に維持しつつ、ノーマルモードノイズに対する遮断周波数近辺の減衰傾度を大きくして減衰特性を改善することができる。
【００３３】
また、このフィルタ素子１によれば、各信号用導電体９に対して接地用導電体８を外側にしてコイル部５を形成すると共に、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の各位置を上記のように規定したことにより、所定の周波数帯域において大きな減衰量を確保することができる結果、優れた減衰特性を有するコモンモード用のフィルタ素子を実現することができる。また、このフィルタ素子１によれば、接地用導電体８における他端側の部位（本発明における一の部位）を他の部位から分離すると共に、この分離した部位でシート状導電体１０を構成したことにより、接地用導電体８と別体のシート状導電体１０を帯状絶縁体を介してコイル部５に巻き込む構成と比較して、コイル部５をより小径に形成することができる結果、フィルタ素子１を小形化することができる。また、フィルタ素子１によれば、各入力部位Ａに各入力端子２を接続し、各出力部位Ｂに各出力端子３を接続し、接地部位Ｃに接地用端子４を接続したことにより、各端子２，３，４を使用してフィルタ素子１を電源装置などに容易に実装することができる。
【００３４】
（第２の最良の形態）
次に、本形態に係るフィルタ素子２１の構成について、図４〜図６を参照して説明する。なお、フィルタ素子１と同一の構成については同一の符号を付して、重複する説明を省略する。
【００３５】
フィルタ素子２１は、図４に示すように、一対の入力端子２ａ，２ｂ、一対の出力端子３ａ，３ｂ、接地用端子４、コイル部２５および磁性コア６を備えて構成されて、分布定数型のノイズフィルタ（低域通過型のコモンモードフィルタ）として機能する。
【００３６】
コイル部２５は、図６に示すように、帯状絶縁体７ａ，７ｂ、接地用帯状導電体８、信号用帯状導電体９ａ，９ｂ、およびシート状導電体１０を備えて構成されている。この場合、各信号用導電体９は、最外周部となる一端側（巻き終わり端側である同図中の右端側）に規定された出力部位Ｂに各出力端子３の一端側がそれぞれ接続されると共に、最内周部となる他端側（巻始め端側である同図中の左端側）に規定された入力部位Ａに各入力端子２の一端側がそれぞれ接続されている。また、各信号用導電体９は、帯状絶縁体７ａの長さ方向と平行に、かつ互いに非接触な状態で帯状絶縁体７ａの上に並べて重ねられている。帯状絶縁体７ｂは、帯状絶縁体７ａの上に、各信号用導電体９を帯状絶縁体７ａとの間で挟み込むようにして重ねられている。接地用導電体８は、最内周部となる他端側（巻始め端側である同図中の左端側）に規定された接地部位Ｃに接地用端子４の一端側が接続された状態で、帯状絶縁体７ｂの上に重ねられている。また、接地用導電体８は、その一端側（出力部位Ｂが規定された各信号用導電体９の一端側と同じ側の端部側）の部位が、他の部位から分離（分割）されている。シート状導電体１０は、接地用導電体８におけるこの分離された一端側（巻き終わり端側）の部位（本発明における一の部位）によって形成されている。
【００３７】
コイル部２５は、上記のように互いに重ねられた各帯状絶縁体７、および各導電体８，９，１０を、図６において矢印で示すように、各導電体８，９の他端側（同図中の左端側）を巻き始めとして、かつ接地用導電体８に対して信号用導電体９が外側になるように巻回することにより、図４に示すように、中心部に空隙Ｈが形成された円筒状に形成されている。この場合、シート状導電体１０は、接地用導電体８と分離され、かつ帯状絶縁体７ａ，７ｂとの間で挟まれることにより、いずれの端子およびいずれの導電体とも非接触な状態（フローティング状態）で、かつ帯状絶縁体７ｂを介して各信号用導電体９（具体的には信号用導電体９の出力部位側）と対向した状態でコイル部２５内に巻き込まれている。コイル部２５の空隙Ｈ内には、磁性コア６が装着されている。
【００３８】
この場合、各信号用導電体９の入力部位Ａは、コイル部２５を一方の端面（図４中の上端面）側から見たときに、図５に示すようにコイル部２５の内周側部位にそれぞれ位置している。また、各信号用導電体９の入力部位Ａに接続された各入力端子２は、図４に示すようにコイル部２５の一方の端面（同図中の上端面）における内周側部位から他端側が引き出されている。このため、コイル部２５を一方の端面側から見た状態において、各信号用導電体９の入力部位Ａと各入力端子２の引出し部位とはほぼ一致する。したがって、以下では、各入力端子２の引出し部位を「引出し部位Ａ」ともいう。一方、各信号用導電体９の出力部位Ｂは、コイル部２５を一方の端面側から見たときに、図５に示すようにコイル部２５の外周側部位にそれぞれ位置している。また、各信号用導電体９の出力部位Ｂに接続された各出力端子３は、図４に示すようにコイル部２５の一方の端面における外周側部位から他端側が引き出されている。このため、コイル部２５を一方の端面側から見た状態において、各信号用導電体９の出力部位Ｂと各出力端子３の引出し部位とはほぼ一致する。したがって、以下では、各出力端子３の引出し部位を「引出し部位Ｂ」ともいう。ここで、各信号用導電体９の出力部位Ｂ（つまり出力端子３の引出し部位）は、図５に示すように、コイル部２５の中心軸Ｏと各信号用導電体９の入力部位Ａ（つまり入力端子２の引出し部位）とを含む平面Ｌ上であって、中心軸Ｏ（または磁性コア６）を挟んで入力部位Ａに対して反対側に設定されている。また、接地用導電体８の接地部位Ｃは、コイル部２５を一方の端面側から見たときに、図５に示すようにコイル部２５の内周側部位に位置している。また、接地用導電体８の接地部位Ｃに接続された接地用端子４は、図４に示すように、コイル部２５の一方の端面における内周側部位から他端側が引き出されている。このため、コイル部２５を一方の端面側から見た状態において、接地用導電体８の接地部位Ｃと接地用端子４の引出し部位とはほぼ一致する。したがって、以下では、接地用端子４の引出し部位を「引出し部位Ｃ」ともいう。ここで、接地用導電体８の接地部位Ｃは、図５に示すように、平面Ｌ上であって、コイル部２５の中心軸Ｏを挟んで入力部位Ａに対して反対側に設定されている。
【００３９】
このフィルタ素子２１では、各信号用導電体９に対して接地用導電体８が内側になるように各導電体８，９，１０および各帯状絶縁体７ａ，７ｂを巻回して全体として筒状にコイル部２５を形成し、各信号用導電体９の最外周部に出力部位Ｂを規定すると共に各信号用導電体９の最内周部に入力部位Ａを規定し、接地用導電体８の最内周部に接地部位Ｃを規定し、各信号用導電体９に対向するようにしてシート状導電体１０をフローティング状態で巻き込むことにより、シート状導電体１０は、各信号用帯状導電体９間に、容量成分を形成する。このため、線路の特性インピーダンスが急に不連続に変化するため、信号の反射が発生し伝搬が阻害される。このため、このフィルタ素子２１によれば、コモンモードノイズに対する減衰特性を良好な状態に維持しつつ、ノーマルモードノイズに対する遮断周波数近辺の減衰傾度を大きくして減衰特性を改善することができる。
【００４０】
また、このフィルタ素子２１によれば、各信号用導電体９に対して接地用導電体８を内側にしてコイル部２５を形成すると共に、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の各位置を上記のように規定したことにより、所定の周波数帯域において大きな減衰量を確保することができる結果、優れた減衰特性を有するコモンモード用のフィルタ素子を実現することができる。また、このフィルタ素子２１によれば、フィルタ素子１と同様にして、接地用導電体８における一端側の部位を他の部位から分離すると共に、この分離した部位でシート状導電体１０を構成したことにより、接地用導電体８と別体のシート状導電体１０を帯状絶縁体を介してコイル部２５に巻き込む構成と比較して、コイル部２５をより小径に形成することができる結果、フィルタ素子２１を小形化することができる。また、このフィルタ素子２１によれば、フィルタ素子１と同様にして、各部位Ａ，Ｂ，Ｃに各入力端子２、各出力端子３および接地用端子４を接続したことにより、各端子２，３，４を使用してフィルタ素子２１を電源装置などに容易に実装することができる。
【００４１】
なお、本発明は、上記した構成に限定されない。例えば、上述した各フィルタ素子１，２１では、図３，６に示すように、各信号用導電体９に対して１つの接地用導電体８および１つのシート状導電体１０を帯状絶縁体７ｂを介して対向させて配設したが、図７，８に示す各フィルタ素子３１，４１のように、信号用導電体９ａ，９ｂ毎に接地用導電体８およびシート状導電体１０をそれぞれ個別に配設することもできる。以下、各フィルタ素子３１，４１について具体的に説明する。
【００４２】
（第３の最良の形態）
次に、本形態に係るフィルタ素子３１について、図１，２，７を参照して説明する。
【００４３】
まず、フィルタ素子３１の構成について説明する。なお、このフィルタ素子３１は、フィルタ素子１を基本にしつつ、接地用導電体８を各信号用導電体９に対応させて２つに増やして構成されている。このため、フィルタ素子３１の構成要素の多くは、フィルタ素子１の構成要素と共通する。したがって、フィルタ素子１と同一の構成については同一の符号を付して、重複する説明を省略する。
【００４４】
フィルタ素子３１は、図１に示すように、一対の入力端子２ａ，２ｂ、一対の出力端子３ａ，３ｂ、接地用端子４、コイル部３５および磁性コア６を備えて構成されて、分布定数型のノイズフィルタ（低域通過型のコモンモードフィルタ）として機能する。
【００４５】
コイル部３５は、図７に示すように、帯状絶縁体７ａ，７ｂ、一対の接地用帯状導電体８ａ，８ｂ（以下、特に区別しないときには「接地用導電体８」ともいう）、一対の信号用帯状導電体９ａ，９ｂ、および一対のシート状導電体１０ａ，１０ｂ（以下、特に区別しないときには「シート状導電体１０」ともいう）を備えて構成されている。この場合、各接地用導電体８ａ，８ｂは、最外周部となる各々の一端側（巻き終わり端側）に規定された接地部位Ｃに接地用端子４の一端側がそれぞれ接続され、かつ互いに非接触な状態で、帯状絶縁体７ａの長さ方向と平行に、しかも対応する信号用導電体９ａ，９ｂと帯状絶縁体７ｂを介してそれぞれ対向するように帯状絶縁体７ａの上に並べて重ねられている。また、各接地用導電体８は、その他端側（各信号用導電体９における各出力端子３が接続される端部と同じ側の端部）の部位が、他の部位から分離（分割）されている。各シート状導電体１０ａ，１０ｂは、各接地用導電体８ａ，８ｂにおけるこの分離された他端側（巻始め端側）の各部位によってそれぞれ形成されている。
【００４６】
また、コイル部３５は、各帯状絶縁体７および各導電体８，９，１０を、図７において矢印で示すように、各帯状絶縁体７および各信号用導電体９の他端側（同図中の右端側）を巻き始めとして、かつ各信号用導電体９に対して接地用導電体８およびシート状導電体１０が外側になるように巻回することにより、図１に示すように、全体として筒状に形成されている。この場合、各シート状導電体１０は、各接地用導電体８と分離され、かつ帯状絶縁体７ａ，７ｂとの間で挟まれることにより、いずれの端子およびいずれの導電体とも非接触な状態（フローティング状態）で、かつ帯状絶縁体７ｂを介して各信号用導電体９（具体的には信号用導電体９の出力部位Ｂ側）と対向した状態でコイル部３５内に巻き込まれている。この場合、信号用導電体９の入力部位Ａ（各入力端子２の引出し部位）、信号用導電体９の出力部位Ｂ（各出力端子３の引出し部位）、および接地用導電体８の接地部位Ｃ（各接地用端子４の引出し部位）は、図２に示す位置にそれぞれ設定されている。
【００４７】
（第４の最良の形態）
次に、本形態に係るフィルタ素子４１について、図４，５，８を参照して説明する。
【００４８】
まず、フィルタ素子４１の構成について説明する。なお、このフィルタ素子４１は、フィルタ素子２１を基本にしつつ、接地用導電体８を各信号用導電体９に対応させて２つに増やして構成されている。このため、フィルタ素子４１の構成要素の多くは、フィルタ素子２１の構成要素と共通する。したがって、フィルタ素子２１と同一の構成については同一の符号を付して、重複する説明を省略する。
【００４９】
フィルタ素子４１は、図４に示すように、一対の入力端子２ａ，２ｂ、一対の出力端子３ａ，３ｂ、接地用端子４、コイル部４５および磁性コア６を備えて構成されて、分布定数型のノイズフィルタ（低域通過型のコモンモードフィルタ）として機能する。
【００５０】
コイル部４５は、図８に示すように、帯状絶縁体７ａ，７ｂ、一対の接地用帯状導電体８ａ，８ｂ、一対の信号用帯状導電体９ａ，９ｂ、および一対のシート状導電体１０ａ，１０ｂを備えて構成されている。この場合、各接地用導電体８ａ，８ｂは、最内周部となる各々の他端側（巻始め端側）に規定された接地部位Ｃに接地用端子４の一端側がそれぞれ接続され、かつ互いに非接触な状態で、帯状絶縁体７ｂの長さ方向と平行に、しかも対応する信号用導電体９ａ，９ｂと帯状絶縁体７ｂを介してそれぞれ対向するように帯状絶縁体７ｂの上に並べて重ねられている。また、各接地用導電体８は、各々の一端側（各信号用導電体９における出力部位と同じ側の端部）の部位が、他の部位から分離（分割）されている。各シート状導電体１０ａ，１０ｂは、各接地用導電体８ａ，８ｂにおけるこの分離された一端側（巻き終わり端側）の各部位によってそれぞれ形成されている。
【００５１】
また、コイル部４５は、各帯状絶縁体７および各導電体８，９，１０を、図８において矢印で示すように、各帯状絶縁体７および各信号用導電体９の他端側（同図中の左端側）を巻き始めとして、かつ各信号用導電体９に対して接地用導電体８およびシート状導電体１０が内側になるように巻回することにより、図４に示すように、全体として筒状に形成されている。この場合、各シート状導電体１０は、各接地用導電体８と分離され、かつ帯状絶縁体７ａ，７ｂとの間で挟まれることにより、いずれの端子およびいずれの導電体とも非接触な状態（フローティング状態）で、かつ帯状絶縁体７ｂを介して各信号用導電体９（具体的には信号用導電体９の出力部位Ｂ側）と対向した状態でコイル部４５内に巻き込まれている。この場合、信号用導電体９の入力部位Ａ（各入力端子２の引出し部位）、信号用導電体９の出力部位Ｂ（各出力端子３の引出し部位）、および接地用導電体８の接地部位Ｃ（各接地用端子４の引出し部位）は、図５に示す位置にそれぞれ設定されている。
【００５２】
上記の各フィルタ素子３１，４１によれば、各信号用導電体９ａ，９ｂに対向するようにして各シート状導電体１０ａ，１０ｂをフローティング状態で巻き込んでコイル部３５，４５を形成したことにより、各フィルタ素子１，２１と同様にして、コモンモードノイズに対する減衰特性を良好な状態に維持しつつ、ノーマルモードノイズに対する遮断周波数近辺の減衰傾度を大きくして減衰特性を改善することができる。また、各フィルタ素子１，２１と同様にして、各信号用導電体９に対して各接地用導電体８を外側または内側にしてコイル部３５，４５を形成すると共に、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の位置を規定したことにより、所定の周波数帯域において大きな減衰量を確保することができる結果、優れた減衰特性を有するコモンモード用のフィルタ素子を実現することができる。また、各フィルタ素子３１，４１によれば、フィルタ素子１，２１と同様にして、接地用導電体８の一の部位（各信号用導電体９における出力部位Ｂと同じ側の端部）を他の部位から分離してシート状導電体１０を構成したことにより、コイル部３５，４５をより小径に形成することができる結果、全体として小形化することができる。さらに、各フィルタ素子３１，４１によれば、各信号用導電体９ａ，９ｂにそれぞれ対向するようにして一対のシート状導電体１０ａ，１０ｂを設けたことにより、フィルタ素子１，２１と比較して、各信号用導電体９ａ，９ｂに対向しない部分（各シート状導電体１０ａ，１０ｂで挟まれた領域と対向する部分）に導電体を配設しなくてよいため、必要最小限の導電体で各シート状導電体１０を形成することができる。したがって、各フィルタ素子３１，４１によれば、フィルタ素子の軽量化を図ることができる。また、このフィルタ素子３１，４１によれば、フィルタ素子１，２１と同様にして、各部位Ａ，Ｂ，Ｃに各入力端子２、各出力端子３および接地用端子４を接続したことにより、各端子２，３，４を使用してフィルタ素子３１，４１を電源装置などに容易に実装することができる。
【００５３】
なお、本発明は、上記した構成に限定されない。例えば、上述した各フィルタ素子１，２１，３１，４１では、各出力端子３の引出し部位Ｂをそれぞれ図２，５に示すように、中心軸Ｏを挟んで各入力端子２に対して反対側に位置するように規定したが、図９，１１に示す各フィルタ素子５１，６１のように、中心軸Ｏを基準として各入力端子２と同じ側に位置するように各出力端子３の引出し部位Ｂを規定することもできる。以下、具体的に、各フィルタ素子５１，６１について説明する。
【００５４】
（第５の最良の形態）
最初に、本形態に係るフィルタ素子５１について、図３，９，１０を参照して説明する。なお、フィルタ素子５１は、出力部位Ｂ（各出力端子３についての引出し部位）の配置以外の構成はフィルタ素子１の構成と同一のため、フィルタ素子１と同一の構成については同一の符号を付して、重複する説明を省略する。
【００５５】
フィルタ素子５１は、図９に示すように、一対の入力端子２ａ，２ｂ、一対の出力端子３ａ，３ｂ、接地用端子４、コイル部５５および磁性コア６を備えて構成されて、分布定数型のノイズフィルタ（低域通過型のコモンモードフィルタ）として機能する。この場合、コイル部５５は、図３に示すように、フィルタ素子１のコイル部５と同一の構成要素を備え、コイル部５と同様にして、互いに重ねられた各帯状絶縁体７および各導電体８，９，１０を巻回することにより、図９に示すように、全体として筒状に形成されている。
【００５６】
この場合、接地用導電体８の接地部位Ｃに接続された接地用端子４は、図９に示すようにコイル部５５の一方の端面における外周側部位から他端側が引き出されている。また、接地用端子４の引出し位置（接地部位Ｃの位置）は、コイル部５５を一方の端面（図９中の上端面）側から見たときに、図１０に示すようにコイル部５５の外周側部位に位置している。一方、各信号用導電体９の入力部位Ａに接続された各入力端子２は、図９に示すようにコイル部５５の一方の端面における外周側部位から他端側が引き出されている。また、各入力端子２の引出し位置（入力部位Ａの位置）は、コイル部５５を一方の端面（図９中の上端面）側から見たときに、図１０に示すように、コイル部５５の中心軸Ｏと入力部位Ａとを含む平面Ｌ上であって、中心軸Ｏ（または磁性コア６）を挟んで接地部位Ｃに対して反対側に設定されている。各信号用導電体９の出力部位Ｂに接続された各出力端子３は、図９に示すようにコイル部５５の一方の端面における内周側部位から他端側が引き出されている。また、各出力端子３の引出し位置（出力部位Ｂの位置）は、コイル部５５を一方の端面（図９中の上端面）側から見たときに、図１０に示すように、平面Ｌ上であって、中心軸Ｏ（または磁性コア６）を挟んで接地部位Ｃに対して反対側に設定されている。つまり、各出力端子３は、中心軸Ｏを基準として各入力端子２と同じ側から引き出されている。
【００５７】
（第６の最良の形態）
次いで、本形態に係るフィルタ素子６１について、図６，１１，１２を参照して説明する。なお、フィルタ素子６１は、出力部位Ｂ（各出力端子３についての引出し部位）の配置以外の構成はフィルタ素子２１の構成と同一のため、フィルタ素子２１と同一の構成については同一の符号を付して、重複する説明を省略する。
【００５８】
フィルタ素子６１は、図１１に示すように、一対の入力端子２ａ，２ｂ、一対の出力端子３ａ，３ｂ、接地用端子４、コイル部６５および磁性コア６を備えて構成されて、分布定数型のノイズフィルタ（低域通過型のコモンモードフィルタ）として機能する。この場合、コイル部６５は、図６に示すように、フィルタ素子２１のコイル部２５と同一の構成要素を備え、コイル部２５と同様にして、互いに重ねられた各帯状絶縁体７および各導電体８，９，１０を巻回することにより、図１１に示すように、全体として筒状に形成されている。
【００５９】
この場合、接地用導電体８の接地部位Ｃに接続された接地用端子４は、図１１に示すようにコイル部６５の一方の端面における内周側部位から他端側が引き出されている。また、接地用端子４の引出し位置（接地部位Ｃの位置）は、コイル部６５を一方の端面（図１１中の上端面）側から見たときに、図１２に示すようにコイル部６５の内周側部位に位置している。一方、各信号用導電体９の入力部位Ａに接続された各入力端子２は、図１１に示すようにコイル部６５の一方の端面における内周側部位から他端側が引き出されている。また、各入力端子２の引出し位置（入力部位Ａの位置）は、コイル部６５を一方の端面側から見たときに、図１２に示すように、コイル部６５の中心軸Ｏと入力部位Ａとを含む平面Ｌ上であって、中心軸Ｏ（または磁性コア６）を挟んで接地部位Ｃに対して反対側に設定されている。各信号用導電体９の出力部位Ｂに接続された各出力端子３は、図１１に示すようにコイル部５５の一方の端面における外周側部位から他端側が引き出されている。また、各出力端子３の引出し位置（出力部位Ｂの位置）は、コイル部６５を一方の端面側から見たときに、図１２に示すように、平面Ｌ上であって、中心軸Ｏ（または磁性コア６）を挟んで接地部位Ｃに対して反対側に設定されている。つまり、各出力端子３は、中心軸Ｏを基準として各入力端子２と同じ側から引き出されている。
【００６０】
上記の各フィルタ素子５１，６１によれば、各信号用導電体９ａ，９ｂに対向するようにしてシート状導電体１０をフローティング状態で巻き込んでコイル部５５，６５を形成したことにより、各フィルタ素子１，２１と同様にして、コモンモードノイズに対する減衰特性を良好な状態に維持しつつ、ノーマルモードノイズに対する遮断周波数近辺の減衰傾度を大きくして減衰特性を改善することができる。また、各信号用導電体９に対して各接地用導電体８を外側または内側にしてコイル部５５，６５を形成すると共に、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の位置を上記のように規定したことにより、所定の周波数帯域において大きな減衰量を確保することができる結果、優れた減衰特性を有するコモンモード用のフィルタ素子を実現することができる。また、各フィルタ素子５１，６１によれば、フィルタ素子１，２１と同様にして、接地用導電体８の一の部位（各信号用導電体９における出力部位Ｂと同じ側の端部）を他の部位から分離してシート状導電体１０を構成したことにより、コイル部５５，５５をより小径に形成することができる結果、全体として小形化することができる。また、このフィルタ素子５１，６１によれば、フィルタ素子１，２１と同様にして、各部位Ａ，Ｂ，Ｃに各入力端子２、各出力端子３および接地用端子４を接続したことにより、各端子２，３，４を使用してフィルタ素子５１，６１を電源装置などに容易に実装することができる。
【００６１】
なお、本発明は、上記した構成に限定されない。例えば、上述したコモンモード用の各フィルタ素子１，２１，３１，４１，５１，６１の構成、すなわちシート状導電体１０をフローティング状態で巻き込んでコイル部を形成する構成を、ノーマルモード用のフィルタ素子に適用することにより、優れた減衰特性を有する低域通過型のノーマルモードフィルタを実現することもできる。以下、一例として、上記のフィルタ素子１，２１の構成を適用したノーマルモード用のフィルタ素子について具体的に説明する。
【００６２】
（第７の最良の形態）
本形態に係るフィルタ素子７１について、図２，１３，１４を参照して説明する。なお、フィルタ素子７１は、フィルタ素子１の構成を利用して構成されたノーマルモード用のフィルタである。このため、フィルタ素子７１の構成要素の多くは、フィルタ素子１の構成要素と共通する。したがって、フィルタ素子１と同一の構成については同一の符号を付して、重複する説明を省略する。
【００６３】
フィルタ素子７１は、図１３に示すように、１つの入力端子２、１つの出力端子３、１つの接地用端子４、コイル部７５および磁性コア６を備えて構成されて、分布定数型のノイズフィルタ（低域通過型のノーマルモードフィルタ）として機能する。
【００６４】
コイル部７５は、図１４に示すように、帯状絶縁体７ａ，７ｂ、接地用導電体８、１つの信号用導電体９、およびシート状導電体１０を備えて構成されている。具体的には、このコイル部７５は、コイル部５の構成から、例えば、入力端子２ｂ、出力端子３ｂおよび信号用導電体９ｂを省くと共に、信号用導電体９ａを幅広に変更した構成と同等の構成を備えている。また、入力端子２が接続されている信号用導電体９の入力部位Ａ、出力端子３が接続されている信号用導電体９の出力部位Ｂ、および接地用端子４が接続されている接地用導電体８の接地部位Ｃは、図２に示すように、フィルタ素子１と同じ位置に規定されている。
【００６５】
（第８の最良の形態）
続いて、本形態に係るフィルタ素子８１について、図５，１５，１６を参照して説明する。なお、フィルタ素子８１は、フィルタ素子２１の構成を利用して構成されたノーマルモード用のフィルタである。このため、フィルタ素子８１の構成要素の多くは、フィルタ素子２１の構成要素と共通する。したがって、フィルタ素子２１と同一の構成については同一の符号を付して、重複する説明を省略する。
【００６６】
フィルタ素子８１は、図１５に示すように、１つの入力端子２、１つの出力端子３、１つの接地用端子４、コイル部８５および磁性コア６を備えて構成されて、分布定数型のノイズフィルタ（低域通過型のノーマルモードフィルタ）として機能する。
【００６７】
コイル部８５は、図１６に示すように、帯状絶縁体７ａ，７ｂ、接地用導電体８、１つの信号用導電体９、およびシート状導電体１０を備えて構成されている。具体的には、このコイル部８５は、コイル部２５の構成から、例えば入力端子２ｂ、出力端子３ｂおよび信号用導電体９ｂを省くと共に、信号用導電体９ａを幅広に変更した構成と同等の構成を備えている。また、入力端子２が接続されている信号用導電体９の入力部位Ａ、出力端子３が接続されている信号用導電体９の出力部位Ｂ、および接地用端子４が接続されている接地用導電体８の接地部位Ｃは、図５に示すように、フィルタ素子２１と同じ位置に規定されている。
【００６８】
以上、フィルタ素子１，２１の構成をそれぞれ適用したノーマルモード用のフィルタ素子７１，８１について説明したが、各フィルタ素子７１，８１と同様にして、フィルタ素子５１，６１をベースとして、図１７，１８にそれぞれ示すように、コイル部９５，１０５における出力部位Ｂ（出力端子３の引出し部位）の位置が図１０，１２のように規定されたノーマルモード用のフィルタ素子９１，１０１を構成することもできる。上記の各フィルタ素子７１，８１，９１，１０１によれば、対応するコモンモード用のフィルタ素子１，２１，５１，６１においてノーマルモードノイズに対する減衰特性を改善できるのと同様にして、ノーマルモードノイズに対する遮断周波数近辺の減衰傾度を大きくして減衰特性を改善することができる。また、各フィルタ素子７１，８１，９１，１０１によれば、信号用導電体９に対して接地用導電体８を外側または内側にしてコイル部７５，８５，９５，１０５を形成すると共に、信号用導電体９の入力部位Ａ（入力端子２の引出し部位）、信号用導電体９の出力部位Ｂ（出力端子３の引出し部位）、および接地用導電体８の接地部位Ｃ（接地用端子４の引出し部位）の各位置を上記のように規定したことにより、対応するコモンモード用のフィルタ素子１，２１，５１，６１と同様にして、所定の周波数帯域において大きな減衰量を確保することができる結果、優れた減衰特性を有するノーマルモード用のフィルタ素子を実現することができる。
【００６９】
なお、本発明は、上記した構成に限定されない。例えば、上述した各フィルタ素子１，２１，３１，・・，１０１では、入力端子２、出力端子３および接地用端子４のような端子として、棒状の導電体を用いて接地や信号の入出力を行うようにしたが、可撓性を有する配線ケーブルを用いることもできる。また、上述した各フィルタ素子１，２１，３１，・・，１０１では、各コイル部５，２５，３５，・・，１０５に形成された空隙Ｈの内部に磁性コア６を装着して接地用導電体８および信号用導電体９の結合度合いや分布インダクタンスの値を向上させることによって減衰特性を向上させた例について説明したが、磁性コア６に代えてポットコア内にコイル部５，２５，３５，・・，１０５を装着する構成を採用することもできる。この構成によれば、ポットコアによって閉磁路構造にすることができ、接地用導電体８および信号用導電体９の結合度合いや分布インダクタンスの値をさらに向上させつつ、外部磁界のコイル部５，２５，３５，・・，１０５に対する影響を低減させることができる。また、ポットコアに代えて、ＥＩ型コアやＥＥ型コアをコイル部５，２５，３５，・・，１０５に装着して閉磁路構造にすることもできる。また、コイル部５，２５，３５，・・，１０５に形成された空隙Ｈの内部に磁性体を装着しない構成（空芯構造）を採用することもできる。
【００７０】
また、上記した各フィルタ素子１，２１，３１，・・，１０１では、入力端子２、出力端子３および接地用端子４を、コイル部の同一端面（図１，４，９，１１，１３，１５，１７，１８では上端面）にのみ配設する構成を採用したが、入力端子２、出力端子３および接地用端子４は、コイル部の中心軸Ｏを含む平面Ｌ上に配設されていれば良いため、入力端子２、出力端子３および接地用端子４の内の一部の端子を他の端子とは逆の端面（例えば図１では下端面）に配設する構成を採用することもできる。また、上記した各フィルタ素子１，２１，３１，・・，１０１では、入力端子２、出力端子３および接地用端子４を、コイル部の中心軸Ｏを含む平面Ｌ上に配設する構成を採用したが、全ての端子が平面Ｌ上に厳密には配設されずに、平面Ｌから若干ずれた位置に各端子が配置されていても良い。この場合、上記した各フィルタ素子１，２１，３１，・・，１０１と比較して減衰特性が若干低下するものの、従来のフィルタ素子と比較して、依然として十分に良好な減衰特性を示す。言い替えれば、入力端子２、出力端子３および接地用端子４を、コイル部の中心軸Ｏを含む平面Ｌ上に配設することにより、所定の周波数帯域においてさらに大きな減衰量を確保することができる結果、一層優れた最良の減衰特性を有するコモンモード用またはノーマルモード用のフィルタ素子を実現することができる。また、上記した各フィルタ素子１，２１，３１，・・，１０１では、接地用導電体８における他端側の部位を他の部位から分離してシート状導電体１０を構成したが、接地用導電体８とは別体のシート状導電体１０を帯状絶縁体を介してコイル部５，２５，３５，・・，１０５に巻き込むこともできる。また、信号用導電体の本数は、１本および２本に限定されず、３本以上にすることもでき、この構成では、信号用導電体と同じ本数のシート状導電体を各信号用導電体に対向するようにしてフローティング状態で配設する。また、上記した各フィルタ素子１，２１，３１，・・，１０１では、入力端子２、出力端子３および接地用端子４を、対応する信号用導電体９および接地用導電体８の最内周部（巻始めの１ターンに含まれる部位）または最外周部（巻き終わりの１ターンに含まれる部位）に接続したが、各端子を接続する部位はこれに限定されずに、例えば、対応する信号用導電体９および接地用導電体８の内周部（巻始めの数ターンに含まれる部位）または外周部（巻き終わりの数ターンに含まれる部位）に接続することもできる。
【実施例】
【００７１】
次に、実施例を挙げて本発明を詳細に説明する。
【００７２】
（実施例１、比較例１）
幅を１１ｍｍに設定した接地用導電体８（シート状導電体１０を含む）、幅を３ｍｍに設定すると共に接地用導電体８と同一長に設定した一対の信号用導電体９ａ，９ｂ、厚みを５０μｍに規定したポリイミド絶縁シートで形成された一対の帯状絶縁体７ａ，７ｂを使用して、各信号用導電体９ａ，９ｂに対して接地用導電体８が外側となり、かつ巻数が３５ターンのコイル部５を作製すると共に、作製したコイル部５をＥＩ型コアに装着してフィルタ素子１に対応する実施例１とした。この場合、信号用導電体９ａ，９ｂの長さ（分割前の接地用導電体８の長さと同じ）を１としたときに、接地用導電体８およびシート状導電体１０の長さをそれぞれ約０．５に規定した。
【００７３】
また、実施例１の構成において、接地用導電体８を分割せずに（言い換えれば、シート状導電体１０を形成せずに）、接地用導電体８の長さを各信号用導電体９ａ，９ｂと同一に規定すると共に、各導電体８，９ａ，９ｂのターン数をコイル部３５と同一に規定してコイル部を形成し、かつ同一のコアを装着してフィルタ素子１に対応する比較例１とした。
【００７４】
次いで、ＡＤＶＡＮＴＥＳＴ社製のＮＥＴＷＯＲＫ  ＡＮＡＬＹＺＥＲ  Ｒ３７６７ＣＧのソフトウェアフィクスチャ機能を用いて、実施例１および比較例１に係るフィルタ素子の各周波数毎の減衰特性（ノーマルモード特性およびコモンモード特性）を測定した。この場合、ノーマルモード特性の測定においては、各入力端子２ａ，２ｂに、互いの位相が反転する試験信号を同時に供給する方法を採用した。一方、コモンモード特性の測定においては、一対の入力端子２ａ，２ｂを短絡させると共に、一対の出力端子３ａ，３ｂを短絡させて、信号用導電体９ａ，９ｂに対して試験用信号を同時に供給する方法を採用した。実施例１および比較例１に係るフィルタ素子のノーマルモードについての減衰特性を図１９に示し、コモンモードについての減衰特性を図２０に示す。なお、同各図において、実施例１に係るフィルタ素子１の減衰特性を符号Ｐで示し、比較例１に係るフィルタ素子の減衰特性を符号Ｑで示す。
【００７５】
図１９によれば、ノーマルモードに関する減衰特性については、比較例１に係るフィルタ素子と比べて、実施例１に係るフィルタ素子１では、通過域（低周波帯域）をフラットにできると共に、遮断周波数付近での減衰傾度を大きくすることができることが確認された。また、実施例１に係るフィルタ素子１では、最大減衰量も大きくすることができることが確認された。
【００７６】
一方、図２０によれば、コモンモードに関する減衰特性については、比較例１に係るフィルタ素子と比べて、実施例１に係るフィルタ素子１では、２ｄＢ〜５ｄＢの範囲内で減衰量が全体的に減少してはいるものの、その減少量が最小限に抑制されて、必要な減衰量を確保できることが確認された。
【図面の簡単な説明】
【００７７】
【図１】フィルタ素子１（３１）の構成を示す斜視図である。
【図２】信号用導電体９における入力部位Ａおよび出力部位Ｂの各位置と、接地用導電体８における接地部位Ｃの位置を示すための、フィルタ素子１（３１，７１）を一方の端面から見た平面図である。
【図３】フィルタ素子１（５１）の構成を示すために、コイル部５（５５）を巻き解いた状態の斜視図である。
【図４】フィルタ素子２１（４１）の構成を示す斜視図である。
【図５】信号用導電体９における入力部位Ａおよび出力部位Ｂの各位置と、接地用導電体８における接地部位Ｃの位置を示すための、フィルタ素子２１（４１，８１）を一方の端面から見た平面図である。
【図６】フィルタ素子２１（６１）の構成を示すために、コイル部２５（６５）を巻き解いた状態の斜視図である。
【図７】フィルタ素子３１の構成を示すために、コイル部３５を巻き解いた状態の斜視図である。
【図８】フィルタ素子４１の構成を示すために、コイル部４５を巻き解いた状態の斜視図である。
【図９】フィルタ素子５１の構成を示す斜視図である。
【図１０】信号用導電体９における入力部位Ａおよび出力部位Ｂの各位置と、接地用導電体８における接地部位Ｃの位置を示すための、フィルタ素子５１（９１）を一方の端面から見た平面図である。
【図１１】フィルタ素子６１の構成を示す斜視図である。
【図１２】信号用導電体９における入力部位Ａおよび出力部位Ｂの各位置と、接地用導電体８における接地部位Ｃの位置を示すための、フィルタ素子６１（１０１）を一方の端面から見た平面図である。
【図１３】フィルタ素子７１の構成を示す斜視図である。
【図１４】フィルタ素子７１（９１）の構成を示すために、コイル部７５（９５）を巻き解いた状態の斜視図である。
【図１５】フィルタ素子８１の構成を示す斜視図である。
【図１６】フィルタ素子８１（１０１）の構成を示すために、コイル部８５（１０５）を巻き解いた状態の斜視図である。
【図１７】フィルタ素子９１の構成を示す斜視図である。
【図１８】フィルタ素子１０１の構成を示す斜視図である。
【図１９】実施例１および比較例１に係るフィルタ素子のノーマルモードについての周波数と減衰量との関係を示す減衰特性図である。
【図２０】実施例１および比較例１に係るフィルタ素子のコモンモードについての周波数と減衰量との関係を示す減衰特性図である。
【符号の説明】
【００７８】
１，２１，３１，４１，５１，６１，７１，８１，９１，１０１  フィルタ素子
２，２ａ，２ｂ  入力端子
３，３ａ，３ｂ  出力端子
４  接地用端子
５，２５，３５，４５，５５，６５，７５，８５，９５，１０５  コイル部
７ａ，７ｂ  帯状絶縁体
８，８ａ，８ｂ  接地用導電体
９，９ａ，９ｂ  信号用導電体
１０  シート状導電体
Ｏ  中心軸
【図１】
2006340030.tif 000003
【図２】
2006340030.tif 000004
【図３】
2006340030.tif 000005
【図４】
2006340030.tif 000006
【図５】
2006340030.tif 000007
【図６】
2006340030.tif 000008
【図７】
2006340030.tif 000009
【図８】
2006340030.tif 000010
【図９】
2006340030.tif 000011
【図１０】
2006340030.tif 000012
【図１１】
2006340030.tif 000013
【図１２】
2006340030.tif 000014
【図１３】
2006340030.tif 000015
【図１４】
2006340030.tif 000016
【図１５】
2006340030.tif 000017
【図１６】
2006340030.tif 000018
【図１７】
2006340030.tif 000019
【図１８】
2006340030.tif 000020
【図１９】
2006340030.tif 000021
【図２０】
2006340030.tif 000022